(57)【要約】【課題】使用性がよい集塵装置を提供すること。【解決手段】筐体と、前記筐体に設けられモップを起立状態で収納可能なモップ収納部と、前記モップ収納部内に収納される前記モップの拭き材と対向するように前記筐体に設けられた吸込口と、前記吸込口と前記筐体内の第１通風経路を介して連通する集塵部と、前記集塵部と前記筐体内の第２通風経路を介して連通する前記筐体に設けられた排気口と、前記第２通風経路に設けられた電動送風機と、前記電動送風機を駆動する駆動回路と、前記駆動回路にて前記電動送風機を駆動させるＯＮ状態と停止させるＯＦＦ状態とに切り換え可能とする電源スイッチとを備え、  前記電源スイッチは、前記モップ収納部内に前記モップが収納された状態で前記ＯＮ状態と前記ＯＦＦ状態とに切り換え可能なように前記モップ収納部の近傍位置に設けられていることを特徴とする集塵装置。【選択図】図１
2020014800.tif 000002
【特許請求の範囲】
【請求項１】
筐体と、前記筐体に設けられ柄部の基端部に拭き材を有するモップを起立状態で収納可能なモップ収納部と、前記モップ収納部内に収納される前記モップの前記拭き材と対向するように前記筐体に設けられた吸込口と、前記吸込口と前記筐体内の第１通風経路を介して連通する集塵部と、前記集塵部と前記筐体内の第２通風経路を介して連通する前記筐体に設けられた排気口と、前記第２通風経路に設けられた電動送風機と、前記電動送風機を駆動する駆動回路と、前記駆動回路にて前記電動送風機を駆動させるＯＮ状態と停止させるＯＦＦ状態とに切り換え可能とする電源スイッチとを備え、
前記電源スイッチは、前記モップ収納部内に前記モップが収納された状態で前記ＯＮ状態と前記ＯＦＦ状態とに切り換え可能なように前記モップ収納部の近傍位置に設けられていることを特徴とする集塵装置。
【請求項２】
前記モップ収納部は、前記吸込口を有しかつ前記柄部と共に前記拭き材を収納可能なメイン収納部と、棒状部材を収納可能なサブ収納部とを有し、
前記電源スイッチは、前記モップまたは前記棒状部材にて直接的または間接的に押圧されて前記ＯＮ状態に切り換わる押しボタン部を有し、
前記メイン収納部内に収納された前記モップまたは前記サブ収納部内に収納された前記棒状部材を下方へ押圧することで、前記電源スイッチの前記押しボタン部が押圧されて前記ＯＮ状態に切り換わるように構成された請求項１に記載の集塵装置。
【請求項３】
前記電源スイッチは、前記押しボタン部を下方に押圧可能として前記筐体内に設けられ、
前記棒状部材にて下方に押圧されることにより前記電源スイッチの前記押しボタン部を下方に押圧する押圧力伝達機構部を前記筐体内にさらに備え、
前記押圧力伝達機構部は、上下方向に移動可能にかつ前記電源スイッチの上方に設けられた押圧部材と、前記押圧部材を前記電源スイッチの前記押しボタン部から離間させる方向に付勢する付勢部材とを有し、
前記押圧部材は、前記棒状部材にて下方へ押圧される当接板部と、前記押しボタン部を下方に押圧可能なように前記当接部に連設された押圧軸部とを有する請求項２に記載の集塵装置。
【請求項４】
前記電源スイッチが、前記モップ収納部内に設けられたセンサであり、
前記モップ収納部内に前記モップが収納されることにより前記センサにて前記モップを検知して前記電動送風機を所定時間駆動させるように構成された請求項１に記載の集塵装置。
【請求項５】
請求項２に記載の集塵装置と、前記集塵装置の前記モップ収納部内に収納され除塵されるモップとを備え、
前記電源スイッチは、前記押しボタン部を下方に押圧可能として前記筐体内に設けられ、
前記モップは、柄部と、前記柄部の基端部に設けられた拭き材とを有し、
前記柄部は、グリップ部を有する先端部側の第１部材と、前記第１部材と着脱可能に連結する前記基端部側の第２部材とを有し、
前記第１部材は、筒形本体部と、前記筒形本体部内に設けられた押圧力伝達機構部とを備え、
前記押圧力伝達機構部は、前記筒形本体部内に長手方向に移動可能に設けられたシャフト部と、前記シャフト部と連結されて前記筒形本体部の長手方向の一端部から外部へ突出する操作ボタン部と、前記シャフト部を前記一端部側へ付勢する付勢部材とを備え、
前記集塵装置の前記サブ収納部内に収納された前記棒状部材としての前記第１部材の前記操作ボタン部を押すことにより、前記シャフト部が前記筒形本体部の長手方向の他端部から外部に突出して前記電源スイッチの前記押しボタン部を直接的に押圧可能に構成されたことを特徴とする掃除機。
【請求項６】
請求項２に記載の集塵装置と、前記集塵装置の前記モップ収納部内に収納され除塵されるモップとを備え、
前記電源スイッチは、前記押しボタン部を略水平方向に押圧可能として前記筐体内に設けられ、
前記モップは、柄部と、前記柄部の基端部に設けられた拭き材と、前記柄部内に設けられた押圧力伝達機構部とを有し、
前記押圧力伝達機構部は、水平軸心を中心として揺動可能かつ前記柄部内から外部突出可能に設けられた屈曲片と、前記屈曲片を前記柄部の内側に付勢する第１付勢部材と、前記屈曲片と当接可能に前記柄部内に設けられたシャフト部と、前記シャフト部の一部を前記屈曲片から離間させる方向に付勢する第２付勢部材と、前記シャフト部と連結されて前記柄部の先端部から外部に露出する操作ボタン部とを備え、
前記屈曲片は、前記操作ボタン部を押すことによって前記シャフト部にて下方へ押圧され揺動する当接片部と、前記当接片部と共に揺動して前記電源スイッチの前記押しボタン部を略水平方向に押圧する押圧片部とを有することを特徴とする掃除機。
【請求項７】
請求項２に記載の集塵装置と、前記集塵装置の前記モップ収納部内に収納され除塵されるモップとを備え、
前記電源スイッチは、前記押しボタン部を上方に押圧可能として前記筐体内に設けられ、
前記モップは、柄部と、前記柄部の基端部に設けられた拭き材と、前記柄部内に設けられた第１押圧力伝達機構部とを有し、
前記集塵装置は、前記筐体内の前記電源スイッチの近傍位置に設けられた第２押圧力伝達機構部をさらに有し、
前記第１押圧力伝達機構部は、第１水平軸心を中心として揺動可能かつ前記柄部内から外部突出可能に設けられた第１屈曲片と、前記第１屈曲片を前記柄部の内側に付勢する第１付勢部材と、前記第１屈曲片と当接可能に前記柄部内に設けられたシャフト部と、前記シャフト部の一部を前記第１屈曲片から離間させる方向に付勢する第２付勢部材と、前記シャフト部と連結されて前記柄部の先端部から外部に露出する操作ボタン部とを備え、
前記第２押圧力伝達機構部は、第２水平軸心を中心として揺動可能に前記筐体内に設けられた第２屈曲片を有し
前記第１屈曲片は、前記シャフト部にて下方へ押圧される第１当接片部と、前記第２屈曲片を押圧可能なように前記第１当接片部に連設された第１押圧片部とを有し、
前記第２屈曲片は、前記第１屈曲片の前記第１押圧片部にて押圧される第２当接片部と、前記電源スイッチの前記押しボタン部を上方へ押圧可能なように前記第２当接片部に連設された第２押圧片部とを有することを特徴とする掃除機。
【発明の詳細な説明】
【技術分野】
【０００１】
本発明は、集塵装置およびそれを備えた掃除機に関する。
【背景技術】
【０００２】
床面上を拭き掃除したモップの房糸に付着したダストを除去する装置として、例えば、特許文献１に記載のモップクリーナーが公知である。
特許文献１のモップクリーナーは、筐体内に設けられた吸引装置および集塵部と、筐体の上面および前面に設けられたスリット状の第１吸引口および第２吸引口と、第１吸引口および第２吸引の一方と集塵部とが連通するように通風経路を切り換える切換レバーとを備え、第１吸引口の両側には歯状の複数の可撓性板が長手方向に沿って設けられている。
【０００３】
特許文献１のモップクリーナーによれば、床面上を乾拭きしたモップの房糸を第２吸引口に近づけることにより房糸にて集めた塵埃を吸引して集塵部にて捕捉し、その後、切換レバーにて第１吸引口と集塵部とを連通させるように通風経路を切り換え、モップの房糸を筐体の上面に載せた状態で第１吸引口の長手方向と直交する左右方向にモップを往復移動させることにより、房糸に付着した塵埃を第１吸引口から吸引して集塵部にて捕捉することができるとされている。
【先行技術文献】
【特許文献】
【０００４】
【特許文献１】特開２００７−１５１６５５号公報
【発明の概要】
【発明が解決しようとする課題】
【０００５】
特許文献１のモップクリーナーの場合、筐体上面の長手方向（左右方向）の寸法がモップの房糸の長手方向の寸法と同等に設定され、長手方向の中間位置に第１吸引口が設けられ、筐体上面に吸引装置の駆動と停止を切り換える押し込み式のスイッチが設けられている。床面上にモップクリーナーが設置されるため、吸引装置の駆動と停止を切り換える際にユーザーがしゃがみ込んでスイッチを押す必要があり、使用性がよくない。
【０００６】
本発明は、このような課題に鑑みなされたものであり、使用性がよい集塵装置およびそれを備えた掃除機を提供することを目的とする。
【課題を解決するための手段】
【０００７】
本発明によれば、筐体と、前記筐体に設けられ柄部の基端部に拭き材を有するモップを起立状態で収納可能なモップ収納部と、前記モップ収納部内に収納される前記モップの前記拭き材と対向するように前記筐体に設けられた吸込口と、前記吸込口と前記筐体内の第１通風経路を介して連通する集塵部と、前記集塵部と前記筐体内の第２通風経路を介して連通する前記筐体に設けられた排気口と、前記第２通風経路に設けられた電動送風機と、前記電動送風機を駆動する駆動回路と、前記駆動回路にて前記電動送風機を駆動させるＯＮ状態と停止させるＯＦＦ状態とに切り換え可能とする電源スイッチとを備え、
前記電源スイッチは、前記モップ収納部内に前記モップが収納された状態で前記ＯＮ状態と前記ＯＦＦ状態とに切り換え可能なように前記モップ収納部の近傍位置に設けられている集塵装置が提供される。
【発明の効果】
【０００８】
本発明の集塵装置によれば、モップ収納部内にモップが収納された状態で電動送風機を駆動させるＯＮ状態と停止させるＯＦＦ状態とに切り換え可能なように筐体内に電源スイッチが設けられているため、モップ収納部内にモップを収納することによって電源スイッチをＯＮ状態にして拭き材に付着した塵埃を吸引除去して集塵部に捕捉することが可能となる。
これにより、使用性がよくなる。
【図面の簡単な説明】
【０００９】
【図１】本発明の実施形態１の掃除機を斜め左上から視た斜視図である。
【図２】実施形態１の掃除機を右上から視た斜視図である。
【図３】図１の掃除機の集塵装置から集塵部を取り外した状態を示す斜視図である。
【図４】図１の掃除機の集塵装置の駆動部の上蓋を取り外した状態を示す斜視図である。
【図５】実施形態１の集塵装置の縦断面構造を示す斜め左上から視た斜視図である。
【図６】実施形態１の集塵装置を正面から視た縦断面図である。
【図７】実施形態１の集塵装置の別の縦断面構造を示す斜め右上から視た斜視図である。
【図８】実施形態１の掃除機における電源スイッチの周辺構造を示す縦断面図である。
【図９】実施形態１の掃除機の集塵装置に収納可能なモップの起立状態を示す正面図である。
【図１０】図９のモップの下端部側を示す斜視図である。
【図１１】実施形態１の集塵装置における集塵部の斜視図である。
【図１２】実施形態２の掃除機における電源スイッチの周辺構造を示す縦断面図である。
【図１３】実施形態２の掃除機における押圧力伝達機構部の動作説明図であって（Ａ）は非押圧状態、（Ｂ）は押圧状態を示す。
【図１４】実施形態３の掃除機における電源スイッチの周辺構造を示す縦断面図である。
【図１５】実施形態３の掃除機における第１および第２押圧力伝達機構部の動作説明図であって（Ａ）は非押圧状態、（Ｂ）は押圧状態を示す。
【図１６】実施形態４の掃除機における電源スイッチの周辺構造を示す縦断面図であって（Ａ）は非押圧状態、（Ｂ）は押圧状態を示す。
【発明を実施するための形態】
【００１０】
（実施形態１）
図１は本発明の実施形態１の掃除機を斜め左上から視た斜視図であり、図２は実施形態１の掃除機を右上から視た斜視図であり、図３は図１の掃除機の集塵装置から集塵部を取り外した状態を示す斜視図であり、図４は図１の掃除機の集塵装置の駆動部の上蓋を取り外した状態を示す斜視図である。また、図５は実施形態１の集塵装置の縦断面構造を示す斜め左上から視た斜視図であり、図６は実施形態１の集塵装置を正面から視た縦断面図であり、図７は実施形態１の集塵装置の別の縦断面構造を示す斜め右上から視た斜視図であり、図８は実施形態１の掃除機における電源スイッチの周辺構造を示す縦断面図である。なお、図１において、前後方向を矢印Ｘ、左右方向を矢印Ｙ、上下方向を矢印Ｚで示している。
【００１１】
図１〜図７に示すように、本発明の掃除機は、集塵装置１と、この集塵装置１にて清掃されかつ収納されるモップＭとを備える。
集塵装置１は、電動送風機１２を備えた駆動部１０と、駆動部１０に着脱可能に装着される集塵部とを備える。なお、実施形態１では、集塵部としてサイクロン方式のダストカップユニット２０を採用した場合を例示しているが、集塵部はサイクロン方式に限定されるものではない。ここで、図１に示す駆動部１０の後述の排気口１１ｅ2が設けられた面が左面、左面の右隣が前面、前面の右隣が右面、右面の右隣が後面である。
【００１２】
＜駆動部について＞
駆動部１０は、筐体１１と、筐体１１内に設けられた電動送風機１２と、筐体１１内に設けられた電源スイッチ１３と、電動送風機１２に商用電源からの電力を供給する電源コード１４（図７参照）とを有する。
この筐体１１は、立方体の１つの角部を欠いた外観形状を有し、モップＭを起立状態で収納可能なモップ収納部１１ａと、モップ収納部１１ａ内に収納されたモップＭの後述する拭き材Ｍｃ（拭き材の一例、図９、図１０参照）と対向するように設けられた吸込口１１ｂと、吸込口１１ｂと第１通風経路１１ｃを介して連通する集塵部としてのダストカップユニット２０と、ダストカップユニット２０と第２通風経路１１ｄを介して連通する排気口１１ｅ1、１１ｅ2と、ダストカップユニット２０を着脱可能に装着する装着部１１ｆと、電源コード１４を収納可能な電源コード収納部１１ｇとを備え、電動送風機１２は第２通風経路１１ｄに設けられている。なお、実施形態１の場合、筐体１１は、上方開口容器形の下部材１１Ｘと、下部材１１Ｘの上方開口部を覆う上部材１１Ｙとを有してなる。
【００１３】
モップ収納部１１ａは、正面から視て、筐体１１の右側の手前位置に設けられた上方開口状の縦長形凹部であって、メイン収納部１１ａ1とサブ収納部１１ａ2とを有してなる。
メイン収納部１１ａ1は、平面視Ｔ形の上方開口状のモップ挿入口１１ａ11と、モップ挿入口１１ａ11とは反対側に設けられた底部１１ａ12と、底部１１ａ12とモップ挿入口１１ａ11との間に設けられた内周壁部１１ａ13と、内周壁部１１ａ13の一部に設けられた段部１１ａ14とを有する。
【００１４】
サブ収納部１１ａ2は、上方に開口した円筒形に形成されており、孔付き底部１１ａ21を有している（図８参照）。なお、サブ収納部１１ａ2の下方は電源スイッチ収納スペース１１ａ3とされている。
電源スイッチ１３は、押しボタン部１３ａを有し、押しボタン部１３ａを押圧すると押圧方向に縮んでＯＮ状態となり、押圧を止めると押しボタン部１３ａは伸びてＯＦＦ状態となるモーメンタリ動作式プッシュスイッチである。なお、電源スイッチ１３は、押しボタン部１３aを押圧するとＯＮ状態となり、押圧を解除してもＯＮ状態が保持され、再度、押しボタン部１３ａを押圧するとＯＦＦ状態となり、押圧を解除するとＯＦＦ状態が保持されるオルタネート動作式プッシュスイッチであってもよい。オルタネート動作式プッシュスイッチの場合、押しボタン部１３ａを押圧すると押圧方向に縮んでＯＮ状態となり、押圧を止めると押しボタン部１３ａは伸びるがＯＮ状態が保持され、再度押しボタン部１３ａを押圧すると押圧方向に縮んでＯＦＦ状態となり、押圧を止めると押しボタン部１３ａは伸びるがＯＦＦ状態が保持されるように構成される。
電源スイッチ１３は、サブ収納部１１ａ2の孔付き底部１１ａ21の孔の真下に押しボタン部１３ａが配置されるように電源スイッチ収納スペース１１ａ3内に収納されている。
【００１５】
また、メイン収納部１１ａ1は、後述するモップＭの保持プレートＭｂおよび拭き材Ｍｃを収納可能な深い部分と、モップＭの柄部Ｍａの第２部材Ｍａ2を収納可能な浅い部分（段部１１ａ14側の部分）とを有する。なお、メイン収納部１１ａ1の深い部分は内周壁部１１ａ13の前面、左面、後面、後方右面および前方右面によって包囲され、メイン収納部１１ａ1の浅い部分は内周壁部１１ａ13の前面、右面および後面によって包囲されている。
【００１６】
平面視Ｔ形のメイン収納部１１ａ1において、その前後方向幅は短手方向の長さよりも少し大きく、かつ深い部分の左右方向幅はモップＭの保持プレートＭｂおよび拭き材Ｍｃの厚み合計よりも少し大きく設定されている。そのため、メイン収納部１１ａ1はその内部に入れたモップＭの保持プレートＭｂを上下に動かせるガイドとしての役割も担うことができる。
【００１７】
ここで、モップ収納部１１ａに収納可能なモップＭについて説明する。
図９は実施形態１の集塵装置に収納可能なモップの起立状態を示す正面図であり、図１０は図９のモップの下端部側を示す斜視図である。
このモップＭは、二本に分割可能な柄部Ｍａと、柄部Ｍａの下端部に揺動可能に設けられた長方形の保持プレートＭｂと、保持プレートＭｂに設けられた拭き材の一例である床面拭き材Ｍｃとを備える。なお、床面拭き材Ｍｃは床面掃除用に限定されるものではなく、壁面や天井等を拭き掃除する場合にも使用可能である。
柄部Ｍａは、上端部（先端部）にグリップ部Ｍａ111を有する上側の第１部材Ｍａ1と、第１部材Ｍａ1の下端部を挿入可能な挿入孔Ｍａ21を有する下側（基端部側）の第２部材Ｍａ2とを有する。
【００１８】
第２部材Ｍａ2において、その上端部の外周壁には外周面から内周面まで貫通する係止孔Ｍａ22が設けられている。
第１部材Ｍａ1において、その下端部には、第２部材Ｍａ2の挿入孔Ｍａ21に差し込まれることによって係止孔Ｍａ22に係脱可能に係止する係止ボタンＭａ12が設けられている。この係止ボタンＭａ12は、バネによって係止孔Ｍａ22に係止する方向へ付勢されており、指で係止ボタンＭａ12を押して係止孔Ｍａ22から離脱させかつ第１部材Ｍａ1を引っ張ることにより第２部材Ｍａ2から引き抜くことができる。
【００１９】
また、第２部材Ｍａ2において、その下端部Ｍａ23は二股に分かれている。
保持プレートＭｂは、上面に設けられた左右一対の突起部Ｍｂ1と、左右一対の突起部Ｍｂ1の間に設けられた左右方向の第１軸部Ｍｂ2と、第１軸部Ｍｂ2に前後方向に揺動可能（回動可能）に枢着された揺動片Ｍｂ3と、揺動片Ｍｂ3の先端部と第２部材Ｍａ2の二股状の下端部Ｍａ23とを互いに左右方向（矢印Ｋ方向）に揺動可能（回動可能）に連結する前後方向の第２軸部Ｍｂ4とを有する。なお、ここで言う「左右方向」および「前後方向」とは、モップＭを使用するユーザーを基準にした左右方向および前後方向である。
【００２０】
図１と図８に示すように、第１部材Ｍａ1は、筒形本体部Ｍａ11と、筒形本体部Ｍａ11内に設けられた押圧力伝達機構部Ｍａ12とを備える。
筒形本体部Ｍａ11は、その先端部に向かうにつれて徐々に太くなったグリップ部Ｍａ111を有すると共に、グリップ部Ｍａ111の先端部には押圧力伝達機構部Ｍａ12の後述する操作ボタン部Ｍａ122を外部長手方向に突出させる孔部を有している。
また、筒形本体部Ｍａ11の基端部には孔付き底部Ｍａ112が設けられている。
【００２１】
押圧力伝達機構部Ｍａ12は、筒形本体部Ｍａ11内に長手方向に移動可能に設けられたシャフト部Ｍａ121と、シャフト部Ｍａ121と連結されて筒形本体部Ｍａ11の長手方向の一端部（グリップ部Ｍａ111の先端部）から外部へ突出する前記操作ボタン部Ｍａ122と、シャフト部Ｍａ121を一端部側へ付勢する付勢部材Ｍａ123としての圧縮コイルバネとを備える。
【００２２】
シャフト部Ｍａ121は、操作ボタン部Ｍａ122と連結した長い第１部分Ｍａ1211と、第１部分Ｍａ1211と連結しかつ筒形本体部Ｍａ11の孔付き底部Ｍａ112から外部長手方向に突出する短い第２部分Ｍａ1212とを有し、第２部分Ｍａ1212における第１部分Ｍａ1211との連結部分には外鍔部Ｍａ12121が設けられている。
【００２３】
付勢部材Ｍａ123は、シャフト部Ｍａ121の第２部分Ｍａ1212を挿通させており、第２部分Ｍａ1212の外鍔部Ｍａ12121と筒形本体部Ｍａ11の孔付き底部Ｍａ112との間に配置されている。これにより、付勢部材Ｍａ123によってシャフト部Ｍａ121はグリップＭａ111側に付勢されている。
操作ボタン部Ｍａ122は、シャフト部Ｍａ121の第１部分Ｍａ1211との連結部分に図示しない外鍔部を有しており、その外鍔部によってグリップＭａ111の孔部から抜け止めされている。なお、操作ボタン部Ｍａ122はシャフト部Ｍａ121の第１部分Ｍａ1211と一体的に形成されてもよい。
【００２４】
モップＭの柄部Ｍａを分解して第１部材Ｍａ1を駆動部１０のサブ収納部１１ａ2内に収納した自由状態において、第１部材Ｍａ1の下端部はサブ収納部１１ａ2の孔付き底部１１ａ21の上に載る。このとき、第１部材Ｍａ1の下端部の孔付き底部Ｍａ112の孔とサブ収納部１１ａ2の孔付き底部１１ａ21の孔とが連通し、その連通孔に第１部材Ｍａ1内のシャフト部Ｍａ121の第２部分Ｍａ1212の下端部が挿通して電源スイッチ１３の押しボタン部１３ａに近接または接触した状態となる。また、シャフト部Ｍａ121の第２部分Ｍａ1212の下端部が電源スイッチ１３の押しボタン部１３ａに接触しても、シャフト部Ｍａ121は付勢部材Ｍａ123によって支持されているため、シャフト部Ｍａ121の重量が押しボタン部１３ａにかかって押圧されＯＮ状態となるということはない。
【００２５】
また、モップＭの柄部Ｍａの第１部材Ｍａ1を駆動部１０のサブ収納部１１ａ2内に収納した状態において、第１部材Ｍａ1の操作ボタンＭａ122を下方へ押し込むと、付勢部材Ｍａ123の上方への付勢力に抗してシャフト部Ｍａ121が下方へ押し込まれ、第２部分Ｍａ1212の下端部が電源スイッチ１３の押しボタン部１３ａを直接的に押圧する。それによって電源スイッチ１３がＯＮ状態となり、電動送風機１２（図７）が駆動する。
【００２６】
図９と図１０に示すように、床面拭き材Ｍｃは、例えば、保持プレートＭｂと同等のサイズで形成されたプレート状基材に毛足の短い房糸またはタオル生地状シートが設けられたものであり、プレート状基材が保持プレートＭｂの下面に着脱可能に取り付けられている。
【００２７】
このように構成されたモップＭによれば、柄部Ｍａの第１部材Ｍａ1と第２部材Ｍａ2とを分割し、前記のように第１部材Ｍａ1を駆動部１０のサブ収納部１１ａ2内に差し入れて収納し、第２部材Ｍａ2と保持プレートＭｂとを互いに平行状に折り畳み（図１０）、保持プレートＭｂをメイン収納部１１ａ1内に差し入れて収納することができる。このとき、メイン収納部１１ａ1内の段部１１ａ14に第２部材Ｍａ2の下端部Ｍａ23が近接し、底部１１ａ12に保持プレートＭｂの下端部が当接する。なお、このようにモップＭを駆動部１０のモップ収納部１１ａ内に収納した状態で床面拭き材Ｍｃの清掃を行うことができ、これについて詳しくは後述する。
【００２８】
図５と図６に示すように、駆動部１０のメイン収納部１１ａ1内にモップＭの保持プレートＭｂが収納された状態において、モップＭの床面拭き材Ｍｃと対向するメイン収納部１１ａ1の内周壁部１１ａ13の一部には、上下複数段の通風口１１ａ131が設けられている。
また、この上下複数段の通風口１１ａ131が設けられた内周壁部１１ａ13の内側には、上下複数段の吸込口１１ｂおよび突起１５ａを有する突起付き吸込口プレート１５が設けられている。この突起１５ａは、メイン収納部１１ａ1内に収納されたモップＭの床面拭き材Ｍｃに擦りつけられて床面拭き材Ｍｃに付着した塵埃を払い落とす（除去する）役割を担う。
【００２９】
突起付き吸込口プレート１５は、メイン収納部１１ａ1内における通風口１１ａ131が設けられた内周壁部１１ａ13に沿って上下方向に設けられた前後一対のガイド溝１１ａ132(図４参照)に嵌め込まれることにより、出し入れ可能に取り付けられている。
【００３０】
メイン収納部１１ａ1内において、突起付き吸込口プレート１５の複数の吸込口１１ｂは、メイン収納部１１ａ1内に収納されたモップＭの床面拭き材Ｍｃの上端部Ｍｃ1近傍から下端部Ｍｃ2近傍に亘る範囲内に設けられている。実施形態１の場合、メイン収納部１１ａ1の底部１１ａ12付近から最上段の突起１５ａの上面付近の範囲内に複数の吸込口１１ｂが等間隔で設けられている。なお、複数の吸込口１１ｂは等間隔に設けられることに限定されず、例えば導入路１１ｃ1から遠くなる程密に配置してもよい。
【００３１】
メイン収納部１１ａ1の深い部分の内側の深さ寸法Ｄ（図６参照）は、モップＭの床面拭き材Ｍｃの長手方向の寸法Ｌ（図１０参照）よりも深く設定されている。
さらに詳しくは、モップＭの床面拭き材Ｍｃの長手方向の寸法Ｌは、メイン収納部１１ａ1内に設けられた突起付き吸込口プレート１５の最上段の突起１５ａの高さ寸法Ｈと同等の長さまたは僅かに短い長さに設定されている。なお、寸法Ｈよりも僅かに短い長さが好ましい。
これにより、メイン収納部１１ａ1内に収納されたモップＭを上下に動かすことで、床面拭き材Ｍｃの下端部から上端部までが突起付き吸込口プレート１５のいずれかの突起１５ａに接触可能となっている。
【００３２】
図３に示すように、駆動部１０の装着部１１ｆは、筐体１１の前部左側に設けられた直方体形のスペースであり、円形凹部を有する底部１１ｆ1と、底部１１ｆ1の右側の右壁部１１ｆ2と、底部１１ｆ1の後側の後壁部１１ｆ3と、右壁部１１ｆ2に設けられた第１通風口１１ｆ4およびその周囲に設けられたパッキン１１ｆ41と、後壁部１１ｆ3に設けられた第２通風口１１ｆ5およびその周囲に設けられたパッキン１１ｆ51と、第２通風口１１ｆ5の左右両側に設けられた左右一対の係止凹部１１ｆ6とを有する。
装着部１１ｆにダストカップユニット２０が装着されることにより、第１通風口１１ｆ4がダストカップユニット２０の後述の空気流入口２１ａと気密に接続すると共に、第２通風口１１ｆ5がダストカップユニット２０の後述の空気排出口２３ａと気密に接続する。
【００３３】
図５と図６に示すように、メイン収納部１１ａ1に設けられた突起付き吸込口プレート１５の複数の吸込口１１ｂと、装着部１１ｆの第１通風口１１ｆ4とは、第１通風経路１１ｃによって接続されている。
この第１通風経路１１ｃは、第１通風口１１ｆ4を介してダストカップユニット２０（空気流入口２１ａ）と連通可能な導入路１１ｃ1と、複数の吸込口１１ｂが配置された範囲に設けられて複数の吸込口１１ｂと導入路１１ｃ1とを連通させるダクト部１１ｃ2とを有する。
また、導入路１１ｃ1は、ダクト部１１ｃ2の上下方向の中間位置よりも下方に配置されている。なお、導入路１１ｃ1および第１通風口１１ｆ4の高さは、装着部１１ｆに装着されたダストカップユニット２０の後述の空気流入口２１ａの高さと同等である。
【００３４】
駆動部１０において、筐体１１の右側後方位置には電源コード収納部１１ｇが設けられると共に、筐体１１の左側後方位置には電動送風機１２が配置されている。
図７に示すように、電源コード収納部１１ｇは、上方開口部１１ｇ1と、上方開口部１１ｇ1とは反対側に設けられた底部１１ｇ2と、底部１１ｇ2と上方開口部１１ｇ1との間に設けられた内周壁部１１ｇ3とを有する。
内周壁部１１ｇ3は、前後左右の内面を有し、内周壁部１１ｇ3における電動送風機１２と隣接する左内面側の下部には排気口１１ｅ1が設けられると共に、後内面側の上端部には電源コード１４を通す切欠き部１１ｇ31が設けられている。なお、筐体１１の左壁部にも排気口１１ｅ2が設けられている。
【００３５】
筐体１１の内部における電動送風機１２を収納したスペースには、図示しない駆動回路が設けられている。この駆動回路にはリード線を介して電動送風機１２が電気的に接続されている。
また、先端部にプラグ１４ａを有する電源コード１４の基端部は、電源コード収納部１１ｇにおける排気口１１ｅ1が設けられた左内面側を貫通して駆動回路に電気的に接続されている。なお、電源コード１４のプラグ１４ａを室内のコンセント（商用電源）に接続した後、電源コード１４の余剰部分を巻いて（束ねて）電源コード収納部１１ｇ内に収納することができる。
【００３６】
また、駆動回路にて電動送風機１２を駆動させるＯＮ状態と停止させるＯＦＦ状態とに切り換え可能なように、駆動装置にはリード線を介して電源スイッチ１３が電気的に接続されている。これにより、モップ収納部１１ａ内にモップＭが収納された状態で、つまり実施形態１の場合はサブ収納部１１ａ２内にモップＭの第１部材Ｍａ１が収納された状態で、電源スイッチ１３および駆動回路による電動送風機１２のＯＮ状態とＯＦＦ状態の切り換えが可能となっている。
【００３７】
図４と図７に示すように、電動送風機１２の下部（排気側）は筐体１１内の底部に固定された支持枠体１６にて支持され、電動送風機１２の上部（吸気側）はカバー部材１７にて覆われている。
カバー部材１７は、電動送風機１２の上部に嵌め込まれるカバー本体部１７ａと、カバー本体部１７ａの内部と連通するダクト部１７ｂとを有し、このダクト部１７ｂは装着部１１ｆの第２通風口１１ｆ5とパッキン１１ｆ51を介して気密に接続されている。
また、カバー本体部１７ａは、筐体１１の上部材１１Ｙの下面と連結板１１Ｙ1によって連結されているため、上部材１１Ｙをカバー部材１７ごと下部材１１Ｘから取り外すことができる。
【００３８】
第２通風経路１１ｄは、装着部１１ｆの第２通風口１１ｆ5と接続されたカバー部材１７の内部である上流側第２通風経路１１ｄ1と、筐体１１の内部における電動送風機１２が収納されたスペースである下流側第２通風経路１１ｄ2とを有し、下流側第２通風経路１１ｄ2が排気口１１ｅ1、１１ｅ2と連通している。
【００３９】
＜集塵部について＞
図１１は実施形態１における集塵部の斜視図である。
図１〜図６および図１１に示すように、実施形態１の場合、集塵部としてサイクロン方式のダストカップユニット２０が用いられている。
このダストカップユニット２０は、前記空気流入口２１ａおよび装着口を有するダストカップ２１と、ダストカップ２１の装着口に着脱可能に装着されるフィルター本体２２ａを有するフィルターユニット２２と、フィルターユニット２２を覆うように着脱可能に取り付けられるフィルターカバー２３と、フィルターカバー２３に取り付けられた連動機構２４とを備える。
【００４０】
ダストカップ２１は、胴部２１ｂと底部２１ｃがヒンジ部２１ｄを介して連結されてなり、底部２１ｃが開いて内部の塵埃を廃棄できるようになっている。また、胴部２１ｂおよび底部２１ｃの外周部におけるヒンジ部２１ｄとは反対側には第１ロック機構２１ｅが設けられており、第１ロック機構２１ｅによって底部２１ｃが閉状態にロックされ、第１ロック機構２１ｅによるロックを解除することにより底部２１ｃが開く。
【００４１】
フィルターユニット２２は、前記フィルター本体２２ａと、フィルター本体２２ａを受けるカップ部２２ｂと、カップ部２２ｂの底部に設けられた孔部と連通する内筒部２２ｃと、内筒部２２ｃの下端部と連結された螺旋羽根２２ｄとを有し、カップ部２２ｂがダストカップ２１の装着口（胴部２１ｂにおける底部２１ｃと反対側の開口部）に嵌り込むことにより内筒部２２ｃがダストカップ２１内に配置される。
【００４２】
内筒部２２ｃは、筒形の内側枠体と、内側枠体の外面に巻かれ固定されたメッシュ部材２２ｃ1と、メッシュ部材２２ｃ1の外周に設けられた筒形の外側枠体２２ｃ2とを有し、内側枠体に対して外側枠体２２ｃ2は回動可能となっている。
フィルターカバー２３は、前記空気排出口２３ａと、空気排出口２３ａの右側に設けられてフィルターユニット２２のカップ部２２ｂの外周部の一部と係脱可能に係止する第２ロック機構２３ｂと、空気排出口２３ａの左側に設けられてフィルターユニット２２のカップ部２２ｂの外周部の一部と連結するヒンジ部２３ｃとを有し、第２ロック機構２３ｂのロックを外すとヒンジ部２３ｃを軸としてフィルターカバー２３がカップ部２２ｂに対して開くように構成されている。
【００４３】
螺旋羽根２２ｄは、内筒部２２ｃの外側枠体２２ｃ2と係脱可能に連結する筒体に羽根が螺旋状に設けられたものであり、所定方向（この場合、平面視時計回り）に回動することによりダストカップ２１内の底部２１ｃに溜まった塵埃を圧縮する機能を有する。
【００４４】
連動機構２４は、フィルターカバー２３に回動軸心を中心に回動可能かつ回動軸心方向に移動可能に取り付けられたハンドル２４ａと、ハンドル２４ａの回動に連動してフィルター本体２２ａの排気側部分と摺接し除塵を行う除塵部２４ｂと、ハンドル２４ａの回動に連動してカップ部２２ｂ内の塵埃を内筒部２２ｃ内へ掻き落とすワイパー部２４ｃと、ハンドル２４ａを引っ張ることにより揺動する一対のロック爪２４ｄと、ハンドル２４ａと連動する第１ギア２４ｅと、除塵部２４ｂと一体回動可能にかつ第１ギア２４ｅと噛合可能に設けられた第２ギア２４ｆとを有する。なお、ワイパー部２４ｃが回動することにより、フィルターユニット２２の内筒部２２ｃの外側枠体が回動し、それによって螺旋羽根２２ｄも回動する。
【００４５】
一対のロック爪２４ｄは、フィルターカバー２３の横から外部へ突出しており、ダストカップユニット２０を駆動部１０の装着部１１ｆに装着することにより装着部１１ｆの一対の係止凹部１１ｆ6に係止し、ハンドル２４ａを引っ張ることにより揺動して係止凹部１１ｆ6から離脱する。
【００４６】
＜集塵装置の動作について＞
図１〜図１１を参照しながら実施形態１の集塵装置１の動作を説明する。
モップＭにて集めた床面上の塵埃を廃棄した後、床掃除に使用したモップＭの床面拭き材Ｍｃに付着した塵埃を次のようにして集塵装置１にて清掃しかつ収納することができる。なお、集塵装置１によるモップＭの床面拭き材Ｍｃの清掃時には、ダストカップユニット２０が駆動部１０に装着されている。このとき、ダストカップユニット２０の空気流入口２１ａおよび空気排出口２３ａは、駆動部１０の装着部１１ｆの第１通風口１１ｆ4および第２通風口１１ｆ5と気密に接続している。
【００４７】
まず、モップＭの柄部Ｍａを第１部材Ｍａ1と第２部材Ｍａ2に分解し、駆動部１０のメイン収納部１１ａ1に第２部材Ｍａ2と共に保持プレートＭｂを収納し、サブ収納部１１ａ2に第１部材Ｍａ1を収納する。このとき、保持プレートＭｂの長手方向が第２部材Ｍａ2の長手方向に略平行となるようにする（図１０参照）。
【００４８】
次に、第１部材Ｍａ1の操作ボタンＭａ122を押すことによって電源スイッチ１３がＯＮ状態となって電動送風機１２が駆動し、それによってメイン収納部１１ａ1内の複数の吸込口１１ｂから外気が吸い込まれる（図６の矢印Ａ）。そのため、モップＭの床面拭き材Ｍｃに付着した塵埃は気流によって吹き飛ばされて空気と共に吸込口１１ｂ、通風口１１ａ131、第１通風経路１１ｃおよび第１通風口１１ｆ4を通ってダストカップユニット２０の空気流入口２１ａに流入する。したがって、ユーザーは腰をかがめることなく立ったままの姿勢でモップＭの清掃を行うことができる。
【００４９】
なお、このときに一方の手で操作ボタンＭａ122を押しながら他方の手でモップＭの第２部材Ｍａ2を持って上下に動かして床面拭き材Ｍｃをメイン収納部１１ａ1内の複数の突起１５ａに擦りつけて清掃してもよい。
あるいは、柄部Ｍａを分解しない状態でモップＭをメイン収納部１１ａ1内に収納し、かつ予め用意しておいた細い棒状部材をサブ収納部１１ａ2内に差し込み、棒状部材にて電源スイッチ１３の押しボタン部１３ａを押圧してＯＮ状態にしながら、モップＭの長い柄部Ｍａを持って上下に動かして床面拭き材Ｍｃを突起１５ａに擦りつけて清掃してもよい。この棒状部材を用いる場合、床面の清掃に使用するモップとしては内部に押圧力伝達機構部Ｍａ12を有さない一般的なものでもよい。
なお、電源スイッチ１３をオルタネート動作式プッシュスイッチとすれば、押しボタン部１３ａを一度押圧すればＯＮ状態が保持されるので、片手でモップＭの清掃を行い、他方の手は、自由に使うことができる。なお、両手でモップＭの清掃を行ってもよい。
【００５０】
電動送風機１２の駆動時において、第１通風経路１１ｃの導入路１１ｃ1がダクト部１１ｃ2の上下方向の中間位置よりも下方に配置されているため、床面拭き材Ｍｃの上端部Ｍｃ1に吸引力が偏りにくくすることができ、下端部Ｍｃ2にも吸引力を持たせることができるので、床面拭き材Ｍｃから一様に塵埃を除去することができる。
【００５１】
ダストカップユニット２０のダストカップ２１内に流入した塵埃を含む空気は、内筒部２２ｃの周囲を旋回することによって比較的大きい第１の塵埃が空気から分離されてダストカップ２１内に溜まり、第１の塵埃よりも小さい第２の塵埃を含む空気が内筒部２２ｃのメッシュ部材２２ｃ1を通って内筒部２２ｃの内部からカップ部２２ｂ内に流入する（図６の矢印Ｂ）。
【００５２】
カップ部２２ｂ内に第２の塵埃を含む空気が流入すると、第２の塵埃はフィルター本体２２ａにて捕集され、第２の塵埃が除去された空気がフィルター本体２２ａを通過し、さらにカップカバー２３の空気排出口２３ａから駆動部１０の装着部１１ｆの第２通風口１１ｆ5に流入する。
【００５３】
第２通風口１１ｆ5を通過した空気は、上流側第２通風経路１１ｄ1（モータ吸気経路）内に流入し、電動送風機１２を通過して下流側第２通風経路１１ｄ2（モータ排気経路）に流入し、一方の排気口１１ｅ1から電源コード収納部１１ｇを通って外部へ排気され、かつ他方の排気口１１ｅ2からも直接外部へ排気される（図７の矢印Ｃ）。このとき、一方の排気口１１ｅ1から電源コード収納部１１ｇ内に流入した空気は、電源コード収納部１１ｇ内の電源コード１４の余剰部分を冷却することができる。また、室内の壁の隅に集塵装置１が設置されて他方の排気口１１ｅ2が壁によって塞がれてしまう場合であっても、一方の排気口１１ｅ1からの排気が確保されるため問題はない。
【００５４】
このようにしてモップＭの床面拭き材Ｍｃがある程度清掃されたと思われれば、操作ボタン部Ｍａ122の押圧を止めることにより、電源スイッチ１３の押しボタン部１３ａが押圧されなくなって電動送風機１２が停止する。電源スイッチ１３がオルタネート動作式プッシュスイッチの場合は、再度、操作ボタン部Ｍａ122を押圧すると押圧を止めてもＯＦＦ状態が保持され、電動送風機１２が停止する。なお、モップＭの第２部材Ｍａ2を引き上げて床面拭き材Ｍｃの清掃具合を目視で確認し、もう少し清掃が必要であると判断すれば同様の操作を繰り返して床面拭き材Ｍｃの清掃を続行することができる。
【００５５】
このようにしてモップＭを清掃した後は、モップＭの柄部Ｍａの第２部材Ｍａ2側および第１部材Ｍａ1側が既に集塵装置１のメイン収納部１１ａ1およびサブ収納部１１ａ2内に収納された状態であるため、そのままにしておくことができる。なお、電源スイッチ１３のＯＮ・ＯＦＦ操作に棒状部材を用いた場合は、モップＭの柄部Ｍａを分解して第１部材Ｍａ1をサブ収納部１１ａ2内に収納してもよく、あるいは柄部Ｍａを分解していない状態のモップＭをメイン収納部１１ａ1内に収納しておいてもよい。
【００５６】
この集塵装置１およびモップＭを備えた本発明の掃除機によれば、モップ収納部内にモップを収納することによって電源スイッチをＯＮ状態にして拭き材に付着した塵埃を吸引除去して集塵部に捕捉することが可能となるため、使用性がよくなる。
【００５７】
また、本発明の掃除機によれば、特許文献１のモップクリーナーのような従来技術が有する次の課題を解決することができる。
すなわち、従来技術の場合、筐体上面の長手方向（左右方向）の寸法がモップの房糸の長手方向の寸法と同等に設定され、長手方向の中間位置に第１吸引口が設けられ、筐体上面に吸引装置の駆動と停止を切り換える押し込み式のスイッチが設けられている。床面上にモップクリーナーが設置されるため、吸引装置の駆動と停止を切り換える際にユーザーがしゃがみ込んでスイッチを押す必要があり、ユーザーの腰に負担をかけることになる。これに対し、本発明の掃除機によれば、ユーザーが立ったままモップを集塵装置のモップ収納部内に収納することによって電源スイッチのＯＮ状態とＯＦＦ状態を切り換えることができるため、ユーザーの腰への負担を軽減することができる。
第二に、従来技術の場合、筐体上面にスイッチが設けられているため、上面の第１吸引口からモップの房糸に付着した塵埃を吸い取る際に、スイッチと上面との間の隙間に塵埃が噛み込んでスイッチが動かなくなるおそれがある。これに対し、本発明の掃除機によれば、塵埃が付着しにくいように電源スイッチを配置することができるため、電源スイッチの動作不良を生じさせにくくすることができる。
第三に、従来技術の場合、モップの房糸の長手方向の一端部を第１吸引口に近づけていくと他端部側は筐体からはみ出て宙に浮いた状態となり、そうすると房糸の他端部側が重みで下がり、かつ一端部側が第１吸引口から浮いてしまうという状態となり、この状態では房糸の長手方向の両端部が十分に除塵されなくなると考えられる。これに対し、本発明の掃除機によれば、モップの拭き材をモップ収納部内で吸込口に対して平行な上下方向に動かして擦りつけることができるため、十分な除塵を行うことができる。
第四に、従来技術の場合、第１吸引口にて房糸の除塵をしている間に、筐体からはみ出た房糸部分から塵埃が床面に落ちた場合、床面に落ちた塵埃を再度第２吸引口にて吸引除去するために切換動作およびモップにて塵埃を第２吸引口へ送る動作が必要となり二度手間となる。これに対し、本発明の掃除機によれば、モップの拭き材をモップ収納部内で上下方向に動かして除塵することができるため、塵埃の外部への飛散を抑えることができる。
第五に、従来技術の場合、モップクリーナーはモップを収納することができないため、モップクリーナーとモップの両方の収納スペースが必要となる。これに対し、本発明の掃除機によれば、集塵装置のモップ収納部内にモップを収納することができるため、収納スペースの省スペース化を図ることができる。
【００５８】
本発明の掃除機において、ダストカップユニット２０をメンテナンスする際は、駆動部１０にダストカップユニット２０が装着された状態でハンドル２４ａを所定方向（この場合、時計回り）に回すことにより、除塵部２４ｂがフィルター本体２２ａに摺動して振動を与え、フィルター本体２２ａの吸気側部分に付着した塵埃がカップ部２２ｂ内へ落とされる。また、これと同時に、ワイパー部２４ｃも回動してカップ部２２ｂの底部の塵埃が内筒部２２ｃ内に払い落とされると共に、螺旋羽根２２ｄも回動してダストカップ２１の底部の塵埃が圧縮される。このとき、塵埃の圧縮が限度を超えると、第２ギア２４ｆに対して第１ギア２４ｅが空回りするため、ユーザーはダストカップ２１内の塵埃を廃棄する必要があることに気付く。
【００５９】
ダストカップ２１内の塵埃を廃棄する場合、ダストカップユニット２０のハンドル２４ａを引き上げることにより一対のロック爪２４ｄが駆動部１０の装着部１１ｆの一対の係止凹部１１ｆ6から離脱するため、ダストカップユニット２０を装着部１１ｆから取り外すことができ、ダストカップ２１の底部２１ｃを開くことによって内部の塵埃を廃棄することができる。
【００６０】
（実施形態２）
図１２は実施形態２の掃除機における電源スイッチの周辺構造を示す縦断面図である。また、図１３は実施形態２の掃除機における押圧力伝達機構部の動作説明図であって（Ａ）は非押圧状態、（Ｂ）は押圧状態を示す。なお、図１２と図１３において、図１〜図１１中の要素と同様の要素には同一の符号を付している。
【００６１】
実施形態１ではモップＭの柄部Ｍａの第１部材Ｍａ1にて電源スイッチ１３のＯＮ・ＯＦＦ操作を行うように掃除機が構成された場合を例示したが、実施形態２の掃除機ではモップＭの柄部Ｍａの第１および第２部材Ｍａ1、Ｍａ2にて電源スイッチ１３のＯＮ・ＯＦＦ操作を行うように構成されている。
実施形態２において、その他の構成は概ね実施形態１と同様である。以下、実施形態２における実施形態１とは異なる点を主に説明する。
【００６２】
実施形態２の掃除機において、集塵装置１０１の駆動部１１０には、筐体１１１の内部におけるモップ収納部１１１ａのメイン収納部１１１ａ1の段部１１ａ14の上方位置に、電源スイッチ１３が設けられている。この場合、電源スイッチ１３は押しボタン部１３ａを略水平方向に押圧可能として筐体１１に固定されており、メイン収納部１１１ａ1の内周壁部１１１ａ13の一部には押しボタン部１３ａをメイン収納部１１１ａ1内に露出させる孔部が形成されている。
【００６３】
また、実施形態２の掃除機において、モップ２Ｍの柄部２Ｍａは、実施形態１と同様の第１部材Ｍａ1と、実施形態１の第２部材Ｍａ2とは構成が異なる第２部材２Ｍａ2とを有する。
詳しく説明すると、柄部２Ｍａの内部には次の押圧力伝達機構部２Ｍａ12が設けられている。
この押圧力伝達機構部２Ｍａ12は、水平軸心Ｐ1を中心として揺動可能かつ柄部２Ｍａの第２部材２Ｍａ2内から外部突出可能に設けられた屈曲片２Ｍａ121と、屈曲片２Ｍａ121を第２部材２Ｍａ2の内側に付勢する第１付勢部材２Ｍａ122と、屈曲片２Ｍａ121と当接可能に柄部２Ｍａ内に設けられたシャフト部２Ｍａ123と、シャフト部２Ｍａ123の一部を屈曲片２Ｍａ121から離間させる方向に付勢する第２付勢部材Ｍａ123と、シャフト部２Ｍａ123と連結されて柄部２Ｍａの先端部から外部に露出する図外の操作ボタン部Ｍａ122（図１参照）とを備える。
【００６４】
屈曲片２Ｍａ121は、略直角に折れ曲がった小片であり、シャフト部２Ｍａ123にて下方へ押圧され揺動する当接片部２Ｍａ1211と、当接片部２Ｍａ1211と共に揺動して電源スイッチ１３の押しボタン部１３ａを略水平方向に押圧する押圧片部２Ｍａ1212とを有する。
屈曲片２Ｍａ121は、当接片部２Ｍａ1211と押圧片部２Ｍａ1212との間の屈曲部分に設けられた水平軸心Ｐ1を中心とする軸部を有しており、この軸部が第２部材２Ｍａ2の筒形本体部２Ｍａ21に回動可能に枢着されている。なお、筒形本体部２Ｍａ21における屈曲片２Ｍａ121が取り付けられる部分には孔部が形成されており、屈曲片２Ｍａ121の押圧片部２Ｍａ1212にて孔部に蓋をするようになっている。
【００６５】
第１付勢部材２Ｍａ122は、実施形態１の場合引っ張りコイルバネであり、筒形本体部２Ｍａ21の内面と屈曲片２Ｍａ121の押圧片部２Ｍａ1212とに連結されている。
筒形本体部２Ｍａ21の内部における屈曲片２Ｍａ121の上方位置には孔付き区画壁２Ｍａ211が設けられており、孔付き区画壁２Ｍａ211の孔部に後述のシャフト部２Ｍａ123の第３部分２Ｍａ1231の細くなった下端部が挿通するようになっている。なお、孔付き区画壁２Ｍａ211の孔部を挿通した第３部分２Ｍａ1231の下端部には抜け止めリング２Ｍａ1232が取り付けられている。
【００６６】
シャフト部２Ｍａ123は、第１部材Ｍａ1内に設けられた第１部分Ｍａ1211および第２部分Ｍａ1212と、第２部材２Ｍａ2内に設けられた第３部分２Ｍａ1231とを有してなり、第２部分Ｍａ1212と第３部分２Ｍａ1231とは連結されていない。したがって、第２付勢部材Ｍａ123によって第１部分Ｍａ1211および第２部分Ｍａ1212は屈曲片２Ｍａ21から離間させる方向に付勢されるが、第３部分２Ｍａ1231は付勢されない。
【００６７】
このように構成された実施形態２の掃除機によれば、柄部２Ｍａを分解せずにモップ２Ｍ全体を駆動部１１０のメイン収納部１１１ａ1に収納し、柄部２Ｍａの先端部に設けられた図外の操作ボタン部Ｍａ122（図１）を押すことにより、第２付勢部材Ｍａ123の付勢力に抗してシャフト部２Ｍａ123が下方（図１３（Ｂ）の矢印Ｆ方向）に押し込まれる。それによってシャフト部２Ｍａ123の第３部分２Ｍａ1231が屈曲片２Ｍａ121の当接片部２Ｍａ1211を下方へ押圧するため、第１付勢部材２Ｍａ122の付勢力に抗して屈曲片２Ｍａ121が水平軸心Ｐ1を中心として電源スイッチ１３の方へ（矢印Ｇ方向に）揺動（回動）する。
【００６８】
これにより、屈曲片２Ｍａ121の押圧片部２Ｍａ1212が電源スイッチ１３の押しボタン部１３ａを略水平方向に押圧し、電源スイッチ１３の押しボタン部１３ａが押圧されている間は、実施形態１と同様に、電動送風機１２（図７）が駆動し、吸引力によりモップ２Ｍの床面拭き材Ｍｃに付着した塵埃が除去される。なお、電源スイッチ１３がオルタネート動作式プッシュスイッチの場合は、押しボタン部１３ａを押圧すれば押圧を止めてもＯＮ状態が保持されるため、電動送風機１２（図７）が駆動し、吸引力によりモップ２Ｍの床面拭き材Ｍｃに付着した塵埃が除去される。なお、電源スイッチ１３がメイン収納部１１１ａ1の横にかつ押しボタン部１３ａを略水平方向に押圧できるように配置されているため、モップ２Ｍの床面拭き材Ｍｃからの塵埃が電源スイッチ１３に付着して押しボタン部１３ａの動作不良が生じにくい。
【００６９】
また、図外の操作ボタン部Ｍａ122（図１）の押し込みを止めると、図１３（Ａ）に示すように、第２付勢部材Ｍａ123によってシャフト部２Ｍａ123の第１部分Ｍａ1211および第２部分Ｍａ1212が上方へ移動すると共に、第１付勢部材２Ｍａ1211によって屈曲片２Ｍａ121の押圧片部２Ｍａ1212が柄部２Ｍａの第２部材２Ｍａ2の内側へ揺動（回動）し、それによって電源スイッチ１３の押しボタン部１３ａが押圧されなくなり、電動送風機１２（図７）が停止する。なお、電源スイッチ１３がオルタネート動作式プッシュスイッチの場合は、押しボタン部１３ａを押圧すれば押圧を止めてもＯＦＦ状態が保持され、電動送風機１２（図７）が停止する。
【００７０】
なお、モップ２Ｍの清掃後、柄部２Ｍａを分解して第１部材Ｍａ1をサブ収納部１１１ａ2内に収納することができる。また、実施形態２の場合、実施形態１で用いられていた突起付き吸込口プレート１５（図４）は省略してもよい。この場合、メイン収納部１１１ａ１の内周壁部１１１ａ13に設けられた通風口１１ａ131が吸込口となる。
【００７１】
（実施形態３）
図１４は実施形態３の掃除機における電源スイッチの周辺構造を示す縦断面図である。また、図１５は実施形態３の掃除機における第１および第２押圧力伝達機構部の動作説明図であって（Ａ）は非押圧状態、（Ｂ）は押圧状態を示す。なお、図１４と図１５において、図１〜図１３中の要素と同様の要素には同一の符号を付している。
【００７２】
実施形態２の掃除機では電源スイッチ１３の押しボタン部１３ａを略水平方向に押圧可能に構成した場合を例示したが、実施形態３の掃除機では電源スイッチ１３の押しボタン部１３ａを上方へ押圧可能に構成している。
実施形態３において、その他の構成は概ね実施形態２と同様である。以下、実施形態３における実施形態２とは異なる点を主に説明する。
【００７３】
実施形態３の掃除機において、モップ２Ｍは実施形態２と同様のものが用いられる。この場合、モップ２Ｍの柄部２Ｍａ内に設けられた押圧力伝達機構部は第１押圧力伝達機構部２Ｍａ12とされる。
また、実施形態３の掃除機において、集塵装置２０１の駆動部２１０のメイン収納部２１１ａ1の横の筐体２１１内には、電源スイッチ１３が押しボタン部１３ａを上方へ押圧可能として設けられている。
さらに、筐体２１１における電源スイッチ１３の近傍位置には、第２水平軸心Ｐ2を中心として揺動可能な第２押圧力伝達機構部としての第２屈曲片２１１ｘが設けられている。
【００７４】
第１押圧力伝達機構部２Ｍａ12は、第１水平軸心Ｐ1を中心として揺動可能かつ柄部２Ｍａの第２部材２Ｍａ2内から外部突出可能に設けられた第１屈曲片２Ｍａ121と、第１屈曲片２Ｍａ121を第２部材２Ｍａ2の内側に付勢する第１付勢部材２Ｍａ122と、第１屈曲片２Ｍａ121と当接可能に柄部２Ｍａ内に設けられたシャフト部２Ｍａ123と、シャフト部２Ｍａ123の一部を第１屈曲片２Ｍａ121から離間させる方向に付勢する第２付勢部材Ｍａ123と、シャフト部２Ｍａ123と連結されて柄部２Ｍａの先端部から外部に露出する図外の操作ボタン部Ｍａ122（図１参照）とを備える。
【００７５】
第１屈曲片２Ｍａ121は、シャフト部２Ｍａ123にて下方へ押圧される第１当接片部２Ｍａ1211と、第２屈曲片２１１ｘを押圧可能なように第１当接片部２Ｍａ1211に連設された第１押圧片部２Ｍａ1212とを有する。
第２屈曲片２１１ｘは、第１屈曲片２Ｍａ121の第１押圧片部２Ｍａ1212にて押圧される第２当接片部２１１ｘ1と、電源スイッチ１３の押しボタン部１３ａを上方へ押圧可能なように第２当接片部２１１ｘ1に連設された第２押圧片部２１１ｘ2とを有する。
筐体２１１には、第１屈曲片２Ｍａ121と対向するように第２屈曲片２１１ｘを取り付ける孔部が形成されており、この孔部の開口縁に第２屈曲片２１１ｘの水平軸心Ｐ2を中心とする軸部が回動可能に枢着されている。
【００７６】
このように構成された実施形態３の掃除機によれば、柄部２Ｍａを分解せずにモップ２Ｍ全体を駆動部１１０のメイン収納部２１１ａ1に収納し、柄部２Ｍａの先端部に設けられた図外の操作ボタン部Ｍａ122（図１）を押すことにより、第２付勢部材Ｍａ123の付勢力に抗してシャフト部２Ｍａ123が下方（図１５（Ｂ）の矢印Ｆ方向）に押し込まれる。それによってシャフト部２Ｍａ123が第１屈曲片２Ｍａ121の当接片部２Ｍａ1211を下方へ押圧するため、第１付勢部材２Ｍａ122の付勢力に抗して第１屈曲片２Ｍａ121が水平軸心Ｐ1を中心として第２屈曲片２１１ｘの方へ（矢印Ｇ方向に）揺動する。
【００７７】
これにより、第１屈曲片２Ｍａ121の第１押圧片部２Ｍａ1212が第２屈曲片２１１ｘの第２当接片部２１１ｘ1を押圧し、それによって第２屈曲片２１１ｘが第２水平軸心Ｐ2を中心として矢印Ｈ方向に揺動（回動）し、この結果、第２屈曲片２１１ｘの第２押圧片部２１１ｘ2が電源スイッチ１３の押しボタン部１３ａを上方へ押圧する。
電源スイッチ１３の押しボタン部１３ａが押圧されている間は、実施形態１および２と同様に、電動送風機１２（図７）が駆動し、吸引力によりモップ２Ｍの床面拭き材Ｍｃに付着した塵埃が除去される。なお、電源スイッチ１３がオルタネート動作式プッシュスイッチの場合は、押しボタン部１３ａを押圧すれば押圧を止めてもＯＮ状態が保持されるため、電動送風機１２（図７）が駆動し、吸引力によりモップ２Ｍの床面拭き材Ｍｃに付着した塵埃が除去される。なお、電源スイッチ１３がメイン収納部２１１ａ1の横にかつ押しボタン部１３ａを上方へ押圧できるように配置されているため、モップ２Ｍの床面拭き材Ｍｃからの塵埃が電源スイッチ１３に付着して押しボタン部１３ａの動作不良が生じにくい。
【００７８】
また、図外の操作ボタン部Ｍａ122（図１）の押し込みを止めると、図１５（Ａ）に示すように、第２付勢部材Ｍａ123によってシャフト部２Ｍａ123の第１部分Ｍａ1211および第２部分Ｍａ1212が上方へ移動すると共に、第１付勢部材２Ｍａ122によって第１屈曲片２Ｍａ121の第１押圧片部２Ｍａ1212が柄部２Ｍａの第２部材２Ｍａ2の内側へ揺動（回動）する。それによって、第１屈曲片２Ｍａ121にて第２屈曲片２１１ｘが押圧されなくなると共に、第２屈曲片２１１ｘによって電源スイッチ１３の押しボタン部１３ａが押圧されなくなり、電動送風機１２（図７）が停止する。なお、電源スイッチ１３がオルタネート動作式プッシュスイッチの場合は、押しボタン部１３ａを押圧すれば押圧を止めてもＯＦＦ状態が保持され、電動送風機１２（図７）が停止する。
【００７９】
なお、モップ２Ｍの清掃後、柄部２Ｍａを分解して第１部材Ｍａ1をサブ収納部１１１ａ2内に収納することができる。また、実施形態３の場合も、実施形態１で用いられていた突起付き吸込口プレート１５（図４）は省略してもよい。この場合、メイン収納部１１１ａ1の内周壁部１１１ａ13に設けられた通風口１１ａ131が吸込口となる。
【００８０】
（実施形態４）
図１６は実施形態４の掃除機における電源スイッチの周辺構造を示す縦断面図であって（Ａ）は非押圧状態、（Ｂ）は押圧状態を示す。なお、図１６において、図１〜図８中の要素と同様の要素には同一の符号を付している。
実施形態１〜３ではモップの柄部に押圧力伝達機構部を設けた場合を例示したが、実施形態４のようにモップの柄部から押圧力伝達機構部を省略してもよい。
【００８１】
実施形態４の掃除機において、モップとしては、実施形態１におけるモップＭの第１部材Ｍａ1内から押圧力伝達機構部Ｍａ12（図８）が省略されたものが用いられる。
また、実施形態４において、電源スイッチ１３は、実施形態１と同様に駆動部１０のサブ収納部１１ａ2の下方にかつ押しボタン部１３ａを下方へ押圧可能に設けられる。
さらに、サブ収納部１１ａ2の下部の孔付き底部１１ａ21には、次のように構成された押圧力伝達機構部１１ａｘが設けられる。
【００８２】
この押圧力伝達機構部１１ａｘは、上下方向に移動可能にかつ電源スイッチ１３の上方に設けられた押圧部材１１ａｘ1と、押圧部材１１ａｘ1を電源スイッチ１３の押しボタン部１３ａから離間させる方向に付勢する付勢部材１１ａｘ2とを有する。
押圧部材１１ａｘ1は、モップの柄部の第１部材Ｍａｘ1または別途用意した棒状部材にて下方へ押圧される当接板部１１ａｘ11と、押しボタン部１３ａを下方に押圧可能なように当接板部１１ａｘ11に連設された押圧軸部１１ａｘ12とを有する。なお、押圧軸部１１ａｘ12はサブ収納部１１ａ2の孔付き底部１１ａ21の孔部に挿通されている。
【００８３】
このように構成された実施形態４の掃除機によれば、モップの柄部を分解した第１部材Ｍａｘ1を駆動部１０のサブ収納部１１ａ2に収納し、第１部材Ｍａｘ1を押し込むことにより、付勢部材１１ａｘ2の付勢力に抗して押圧部材１１ａｘ1が下方（図１６（Ｂ）の矢印Ｆ方向）に押し込まれる。これにより、押圧部材１１ａｘ1の押圧軸部１１ａｘ12が電源スイッチ１３の押しボタン部１３ａを下方へ押圧する。
【００８４】
電源スイッチ１３の押しボタン部１３ａが押圧されている間は、実施形態１と同様に、電動送風機１２（図７）が駆動し、吸引力によりモップの床面拭き材に付着した塵埃が除去される。なお、電源スイッチ１３がオルタネート動作式プッシュスイッチの場合は、押しボタン部１３ａを押圧すれば押圧を止めてもＯＮ状態が保持されるため、電動送風機１２（図７）が駆動し、吸引力によりモップ２Ｍの床面拭き材Ｍｃに付着した塵埃が除去される。なお、電源スイッチ１３がサブ収納部１１ａ2の下方に配置されているため、モップの床面拭き材からの塵埃が電源スイッチ１３に付着して押しボタン部１３ａの動作不良が生じるようなことはない。
また、第１部材Ｍａｘ1の押し込みを止めると、図１６（Ａ）に示すように、付勢部材１１ａｘ2によって押圧部材１１ａｘ1が上方へ移動し、それによって電源スイッチ１３の押しボタン部１３ａが押圧されなくなり、電動送風機１２（図７）が停止する。なお、電源スイッチ１３がオルタネート動作式プッシュスイッチの場合は、押しボタン部１３ａを押圧すれば押圧を止めてもＯＦＦ状態が保持され、電動送風機１２（図７）が停止する。
【００８５】
なお、実施形態４の場合、一方の手で第１部材Ｍａｘ1を押しながら他方の手でモップの第２部材Ｍａ2を持って上下に動かして床面拭き材Ｍｃをメイン収納部１１ａ1内の複数の突起１５ａに擦りつけて清掃してもよい（図５、図６、図１０参照）。
あるいは、柄部を分解しない状態でモップをメイン収納部１１ａ1内に収納し、かつ予め用意しておいた棒状部材をサブ収納部１１ａ2内に差し込み、棒状部材にて押圧部材１１ａｘ1を押圧して電源スイッチ１３をＯＮ状態にしながらモップを上下に動かして床面拭き材Ｍｃを突起１５ａに擦りつけて清掃してもよい。
なお、電源スイッチ１３をオルタネート動作式プッシュスイッチとすれば、押しボタン部１３ａを一度押圧すればＯＮ状態が保持されるので、片手でモップＭの清掃を行い、他方の手は、自由に使うことができる。なお、両手でモップＭの清掃を行ってもよい。
【００８６】
（実施形態５）
実施形態１〜４ではモップの柄部を押すことにより電源スイッチの押しボタン部を押すように構成された場合を例示したが、実施形態５では次のように構成される。
すなわち、電源スイッチとしてモップを検知するセンサをモップ収納部のメイン収納部内に設け、センサをリード線にて駆動回路に電気的に接続し、メイン収納部内にモップが収納されることによりセンサ（例えば、近接センサ）にてモップを検知して駆動回路がＯＦＦ状態からＯＮ状態に切り換わって電動送風機を所定時間駆動させるように構成する。
【００８７】
この場合、センサは塵埃が付着しにくい位置に配置することが好ましく、例えば、メイン収納部の内周壁部の上部であってモップの保持プレートと対向する位置あるいは柄部の第２部材と対向する位置とすることができる。また、センサとは別に主電源のスイッチを、例えば塵埃が付着しにくい筐体の外周面に設け、主電源のスイッチがＯＮ状態のときのみセンサが作動するようにしてもよい。
この構成によれば、モップの清掃時には自動的に駆動回路がＯＮ状態とＯＦＦ状態に切り換わるため、ユーザーによるＯＮ・ＯＦＦ操作が不要となる。また、一般的なモップが使用可能となる。
【００８８】
（他の実施形態）
１．実施形態２において、モップの柄部の第２部材２Ｍａ2内に設けられた引っ張りバネ（付勢部材２Ｍａ122）の代わりに捻りコイルバネを用いてもよい。この場合、例えば、屈曲片２Ｍａ121の軸部に捻りコイルバネを取り付ける。なお、実施形態３についても同様である。
【００８９】
２．実施形態１において、駆動部１０のサブ収納部１１ａ2の孔付き底部１１ａ21の外周側をテーパ状に形成してもよい。これにより、サブ収納部１１ａ2内に収納されたモップＭの柄部Ｍａの第１部材Ｍａ1の孔付き底部Ｍａ112の孔が、サブ収納部１１ａ2の孔付き底部１１ａ21の孔の位置に位置決めされやすくなる。
【００９０】
３．実施形態１〜５では、サイクロン方式のダストカップユニットを集塵部として用いた場合を例示したが、紙パック方式の集塵部を用いてもよい。この場合、装着部１１ｆの代わりに、第１および第２通風口１１ｆ4、１１ｆ5を内部に有する紙パック収納部を設け、紙パック収納部内の第１風通口１１ｆ4に紙パックを着脱可能に接続する。また、紙パック収納部に開閉可能な蓋部を設け、蓋部を開いて塵埃が溜まった紙パックを取り出して廃棄できるようにする。
【００９１】
（まとめ）
本発明の集塵装置は、筐体と、前記筐体に設けられ柄部の基端部に床面拭き材を有するモップを起立状態で収納可能なモップ収納部と、前記モップ収納部内に収納される前記モップの前記床面拭き材と対向するように前記筐体に設けられた吸込口と、前記吸込口と前記筐体内の第１通風経路を介して連通する集塵部と、前記集塵部と前記筐体内の第２通風経路を介して連通する前記筐体に設けられた排気口と、前記第２通風経路に設けられた電動送風機と、前記電動送風機を駆動する駆動回路と、前記駆動回路にて前記電動送風機を駆動させるＯＮ状態と停止させるＯＦＦ状態とに切り換え可能とする電源スイッチとを備え、
前記電源スイッチは、前記モップ収納部内に前記モップが収納された状態で前記ＯＮ状態と前記ＯＦＦ状態とに切り換え可能なように前記モップ収納部の近傍位置に設けられている。
【００９２】
本発明の集塵装置は、次のように構成されてもよく、それらが適宜組み合わされてもよい。
（１）前記モップ収納部は、前記吸込口を有しかつ前記柄部と共に前記拭き材を収納可能なメイン収納部と、棒状部材を収納可能なサブ収納部とを有し、
前記電源スイッチは、前記モップまたは前記棒状部材にて直接的または間接的に押圧されて前記ＯＮ状態に切り換わる押しボタン部を有し、
前記メイン収納部内に収納された前記モップまたは前記サブ収納部内に収納された前記棒状部材を下方へ押圧することで、前記電源スイッチの前記押しボタン部が押圧されて前記ＯＮ状態に切り換わるように構成されてもよい。
この構成によれば、電源スイッチをメイン収納部の近傍位置に設けた場合は、メイン収納部内に収納されたモップを下方へ押圧している間に電源スイッチがＯＮ状態に切り換わるようにすることができる。
また、電源スイッチをサブ収納部の近傍位置に設けた場合は、サブ収納部内に収納された棒状部材を下方へ押圧している間に電源スイッチがＯＮ状態に切り換わるようにすることができる。さらに、モップの柄部が基端部側と先端部側に二分割できるものであれば、分割した柄部の先端部側を棒状部材としてサブ収納部内に収納して電源スイッチのＯＮ・ＯＦＦ操作を行うことが可能となる。
【００９３】
（２）前記電源スイッチは、前記押しボタン部を下方に押圧可能として前記筐体内に設けられ、
前記棒状部材にて下方に押圧されることにより前記電源スイッチの前記押しボタン部を下方に押圧する押圧力伝達機構部を前記筐体内にさらに備え、
前記押圧力伝達機構部は、上下方向に移動可能にかつ前記電源スイッチの上方に設けられた押圧部材と、前記押圧部材を前記電源スイッチの前記押しボタン部から離間させる方向に付勢する付勢部材とを有し、
前記押圧部材は、前記棒状部材にて下方へ押圧される当接板部と、前記押しボタン部を下方に押圧可能なように前記当接部に連設された押圧軸部とを有するものであってもよい。
この構成によれば、押圧力伝達機構部が筐体内に設けられるため、棒状部材に押圧力伝達機構部を設ける必要はなく、単純な構造の棒状部材を用いることができる。この場合、モップの柄部が基端部側と先端部側とに二分割可能に構成されていれば、二分割した柄部の先端部側を棒状部材として用いることができる。
【００９４】
（３）前記電源スイッチが、前記モップ収納部内に設けられたセンサであり、
前記モップ収納部内に前記モップが収納されることにより前記センサにて前記モップを検知して前記電動送風機を所定時間駆動させるように構成されてもよい。
この構成によれば、自動的に駆動回路がＯＮ状態とＯＦＦ状態に切り換わるため、ユーザーによるＯＮ・ＯＦＦ操作が不要となる。
【００９５】
また、本発明によれば、次のＡ、ＢおよびＣタイプの掃除機が提供される。
Ａタイプの掃除機（前記実施形態１）は、前記集塵装置と、前記集塵装置の前記モップ収納部内に収納され除塵されるモップとを備え、
前記電源スイッチは、前記押しボタン部を下方に押圧可能として前記筐体内に設けられ、
前記モップは、柄部と、前記柄部の基端部に設けられた拭き材とを有し、
前記柄部は、グリップ部を有する先端部側の第１部材と、前記第１部材と着脱可能に連結する前記基端部側の第２部材とを有し、
前記第１部材は、筒形本体部と、前記筒形本体部内に設けられた押圧力伝達機構部とを備え、
前記押圧力伝達機構部は、前記筒形本体部内に長手方向に移動可能に設けられたシャフト部と、前記シャフト部と連結されて前記筒形本体部の長手方向の一端部から外部へ突出する操作ボタン部と、前記シャフト部を前記一端部側へ付勢する付勢部材とを備え、
前記集塵装置の前記サブ収納部内に収納された前記棒状部材としての前記第１部材の前記操作ボタン部を押すことにより、前記シャフト部が前記筒形本体部の長手方向の他端部から外部に突出して前記電源スイッチの前記押しボタン部を直接的に押圧可能に構成されたものである。
Ａタイプの掃除機によれば、モップの柄部を二分割した第２部材を拭き材と共にメイン収納部に収納し、かつ第１部材をサブ収納部に収納した後、第１部材の操作ボタンを押している間、電源スイッチをＯＮ状態にして電動送風機を駆動させて拭き材を除塵することができる。あるいは、操作ボタン押下毎にON/OFFが切り替わるスイッチ仕様でもよく、この場合は、操作ボタンを押して、電源スイッチをＯＮ状態にして電動送風機を駆動させて拭き材を除塵することができる。また、電源スイッチはサブ収納部の下方に設けられるため、拭き材からの塵埃が電源スイッチに付着することはなく、塵埃による電源スイッチの動作不良を防止することができる。
【００９６】
Ｂタイプの掃除機（前記実施形態２）は、前記集塵装置と、前記集塵装置の前記モップ収納部内に収納され除塵されるモップとを備え、
前記電源スイッチは、前記押しボタン部を略水平方向に押圧可能として前記筐体内に設けられ、
前記モップは、柄部と、前記柄部の基端部に設けられた拭き材と、前記柄部内に設けられた押圧力伝達機構部とを有し、
前記押圧力伝達機構部は、水平軸心を中心として揺動可能かつ前記柄部内から外部突出可能に設けられた屈曲片と、前記屈曲片を前記柄部の内側に付勢する第１付勢部材と、前記屈曲片と当接可能に前記柄部内に設けられたシャフト部と、前記シャフト部の一部を前記屈曲片から離間させる方向に付勢する第２付勢部材と、前記シャフト部と連結されて前記柄部の先端部から外部に露出する操作ボタン部とを備え、
前記屈曲片は、前記操作ボタン部を押すことによって前記シャフト部にて下方へ押圧され揺動する当接片部と、前記当接片部と共に揺動して前記電源スイッチの前記押しボタン部を略水平方向に押圧する押圧片部とを有するものである。
Ｂタイプの掃除機によれば、モップ全体をメイン収納部に収納した後、モップの柄部の操作ボタンを押している間、電源スイッチをＯＮ状態にして電動送風機を駆動させて拭き材を除塵することができる。あるいは、操作ボタン押下毎にON/OFFが切り替わるスイッチ仕様でもよく、この場合は、操作ボタンを押して、電源スイッチをＯＮ状態にして電動送風機を駆動させて拭き材を除塵することができる。また、電源スイッチは押しボタン部が略水平方向に押圧可能として筐体内に設けられるため、拭き材からの塵埃が電源スイッチに付着することはなく、塵埃による電源スイッチの動作不良を防止することができる。
【００９７】
Ｃタイプの掃除機（前記実施形態３）は、前記集塵装置と、前記集塵装置の前記モップ収納部内に収納され除塵されるモップとを備え、
前記電源スイッチは、前記押しボタン部を上方に押圧可能として前記筐体内に設けられ、
前記モップは、柄部と、前記柄部の基端部に設けられた拭き材と、前記柄部内に設けられた第１押圧力伝達機構部とを有し、
前記集塵装置は、前記筐体内の前記電源スイッチの近傍位置に設けられた第２押圧力伝達機構部をさらに有し、
前記第１押圧力伝達機構部は、第１水平軸心を中心として揺動可能かつ前記柄部内から外部突出可能に設けられた第１屈曲片と、前記第１屈曲片を前記柄部の内側に付勢する第１付勢部材と、前記第１屈曲片と当接可能に前記柄部内に設けられたシャフト部と、前記シャフト部の一部を前記第１屈曲片から離間させる方向に付勢する第２付勢部材と、前記シャフト部と連結されて前記柄部の先端部から外部に露出する操作ボタン部とを備え、
前記第２押圧力伝達機構部は、第２水平軸心を中心として揺動可能に前記筐体内に設けられた第２屈曲片を有し
前記第１屈曲片は、前記シャフト部にて下方へ押圧される第１当接片部と、前記第２屈曲片を押圧可能なように前記第１当接片部に連設された第１押圧片部とを有し、
前記第２屈曲片は、前記第１屈曲片の前記第１押圧片部にて押圧される第２当接片部と、前記電源スイッチの前記押しボタン部を上方へ押圧可能なように前記第２当接片部に連設された第２押圧片部とを有するものである。
Ｃタイプの掃除機によれば、モップ全体をメイン収納部に収納した後、モップの柄部の操作ボタンを押している間、電源スイッチをＯＮ状態にして電動送風機を駆動させて拭き材を除塵することができる。あるいは、操作ボタン押下毎にON/OFFが切り替わるスイッチ仕様でもよく、この場合は、操作ボタンを押して、電源スイッチをＯＮ状態にして電動送風機を駆動させて拭き材を除塵することができる。また、電源スイッチは押しボタン部が上方に押圧可能として筐体内に設けられるため、拭き材からの塵埃が電源スイッチに付着することはなく、塵埃による電源スイッチの動作不良を防止することができる。
【００９８】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００９９】
１  集塵装置
１１、１１１、２１１  筐体
１１ａ  モップ収納部
１１ａ1、１１１ａ1、２１１ａ1  メイン収納部
１１ａ2、１１１ａ2  サブ収納部
１１ａｘ1、押圧部材
１１ａｘ2、Ｍａ123、２Ｍａ122  付勢部材
１１ａｘ11  当接板部
１１ａｘ12  押圧軸部
１１ｂ  吸込口
１１ｃ  第１通風経路
１１ｄ  第２通風経路
１１ｅ1、１１ｅ2  排気口
１２  電動送風機
１３  電源スイッチ
１３ａ  押しボタン部
２０  ダストカップユニット（集塵部）
Ｍ、２Ｍ  モップ
Ｍａ  柄部
Ｍａ1  第１部材
Ｍａ2  第２部材
Ｍａ11  筒形本体部
Ｍａ12、２Ｍａ12、１１ａｘ  押圧力伝達機構部
Ｍａ23  基端部
Ｍａ111  グリップ部
Ｍａ122  操作ボタン部
Ｍｃ  床面拭き材
２Ｍａ121、２１１ｘ  屈曲片
２Ｍａ123  シャフト部
２Ｍａ1211、２１１ｘ1  当接片部
２Ｍａ1212、２１１ｘ2  押圧片部
Ｐ1、Ｐ2  水平軸心
【図１】
2020014800.tif 000003
【図２】
2020014800.tif 000004
【図３】
2020014800.tif 000005
【図４】
2020014800.tif 000006
【図５】
2020014800.tif 000007
【図６】
2020014800.tif 000008
【図７】
2020014800.tif 000009
【図８】
2020014800.tif 000010
【図９】
2020014800.tif 000011
【図１０】
2020014800.tif 000012
【図１１】
2020014800.tif 000013
【図１２】
2020014800.tif 000014
【図１３】
2020014800.tif 000015
【図１４】
2020014800.tif 000016
【図１５】
2020014800.tif 000017
【図１６】
2020014800.tif 000018